(57)【特許請求の範囲】
【請求項１】
光ネットワークにおける光クロスコネクト装置の自動警報解除方式であって、
光ネットワークは、伝送装置および光クロスコネクト装置を含み、
伝送装置は、
伝送装置間の障害が復旧したとき、光パス下流側に隣接する光クロスコネクト装置に障害復旧通知信号を送出する手段を備え、
光クロスコネクト装置は、
光パス上流側に隣接する伝送装置から送出される障害復旧通知信号を受信する手段と、
光パス上流側に隣接する伝送装置から障害復旧通知信号を受信したとき、光パス上流側に隣接する光クロスコネクト装置に障害復旧通知信号を送出する手段と、
光パス上流側に隣接する伝送装置あるいは光パス下流側に隣接する光クロスコネクト装置から障害復旧通知信号を受信したとき、自装置による障害警報を解除する手段と、
光パス下流側に隣接する光クロスコネクト装置から障害復旧通知信号を受信したとき、経路制御情報をマルチキャストで送出し、障害により回避されていたリンクの帯域を開放する手段を備えたことを特徴とする光クロスコネクト装置の自動警報解除方式。
【請求項２】
前記光クロスコネクト装置は、さらに、光パス下流側に隣接する光クロスコネクト装置から障害復旧通知信号を受信したとき、障害発生前に使用していた経路へ光パスを切り戻す手段を備えたことを特徴とする請求項１に記載の光クロスコネクト装置の自動警報解除方式。
【発明の詳細な説明】
【技術分野】
【０００１】
本発明は、光クロスコネクト装置の自動警報解除方式に関し、特に、光ネットワークの障害が復旧したとき、光クロスコネクト装置による障害警報を自動的に解除するとともに、障害により回避されていたリンクの帯域を開放することができる光クロスコネクト装置の自動警報解除方式に関する。
【背景技術】
【０００２】
GMPLS光ネットワークは、光クロスコネクト装置(PXC)およびWDMなどの伝送装置(以下、WDMと称す。)を備える。図３は、従来のGMPLS光ネットワークの基本的な機器構成を示すブロック図である。
【０００３】
GMPLS光ネットワークは、PXC1,2とPXC1,2間に配設されたWDM3,4を備える。PXC1,2とWDM3,4はそれぞれ、PXC-管理システム(EMS:Equpment Management System)5とWDM-管理システム(EMS)6を具備する。PXC-EMS5は、PXC1,2の機器状態を監視して管理する。また、WDM-EMS6は、WDM3,4の機器状態を監視して管理する。PXC1とPXC2は、GMPLS制御プレーン7を介してGMPLS制御メッセージを交換する。
【０００４】
図４は、従来のGMPLS光ネットワークにおける障害発生時の動作を示すフローチャートである。まず、障害発生時の動作を説明する。図３のGMPLS光ネットワークにおいて、例えばWDM3からWDM4方向の回線(リンク)に障害が発生したとする(S41)と、WDM4はPXC2へ障害を通知する(S42)。なお、障害の発生がなければ、S42以下の処理は行われない。この障害の通知は、WDM4が下流への光信号をシャットダウンするWDM強制光断機能により、あるいはGMPLS制御プレーン7を介して実行されるGMPLS-LMP(RFC4204;Link Management Protocol)機能により行われる。
【０００５】
また、WDM4は、WDM-EMS6へ障害警報を送出する(S43)。WDM-EMS6は、WDM4からの障害警報を受けると、障害警報を発出する(S44)。
【０００６】
PXC2は、WDM4から障害が通知されると、PXC-EMS5へ障害警報を送出するとともに、PXC1との間で障害通知信号を交換する(S45)。PXC2から障害通知信号を受けたPXC1は、GMPLSのトラフィックエンジニアリングリンク(TEリンク)が障害であると認識し、PXC-EMS5へ障害警報を送出する(S46)。
【０００７】
また、PXC1は、TEリンクの帯域を0として該TEリンクが使えないことを経路制御信号で広告する(S47)。その後、PXC1は、障害となったTEリンクを回避しながらルーティングを実行して光パスの経路を自動的に変更し、光パスについての障害を復旧する(S48)。
【０００８】
PXC-EMS5は、PXC1,2からの障害警報を受けると障害警報を発出し、WDM3,4間のTEリンクを障害リンクとして管理する(S49)。以上が障害発生時の動作である。
【０００９】
次に障害復旧時の動作を説明する。図５は、図４のフローチャートの続きであり、障害復旧時の動作を示している。WDM3,4間のリンク障害が復旧する(S50)と、WDM4へ光信号が入力されるようになる。なお、障害が復旧しなければ、S51以下の処理は行われない。WDM4はWDM-EMS6への障害警報を解除し(S51)、WDM-EMS6は障害警報の発出を止める(S52)。オペレータは、WDM-EMS6上の情報を元にPXC-EMS5で障害警報の解除作業を手作業で行う(S53)。この障害警報の解除作業の結果、PXC1,2およびPXC-EMS5は、障害状態から正常状態に遷移し、障害警報を解除する(S54)。また、PXC1は、障害により使用不可となっていたTEリンクの帯域を開放する(S55)。
【００１０】
非特許文献１，２には、障害発生時にWDMとPXCを連係させて障害となったTEリンクを回避しながらルーティングを実行し、光パスの経路を自動的に変更する技術が記載されている。
【００１１】
また、本発明者は、PXC-WDM間の障害を切り分けることができ、光ネットワークを高信頼かつ高効率で運用できるPXC-WDM連係方式を先に特許文献１で提案した。
【特許文献１】特願２００５−３３０６０号(先願)
【非特許文献１】“Interworking DWDM equipment and PXC operation GMPLS for a reliable optical network”Optical Fiber Communication Conference, 2004. OFC 2004 Volume 2, PDP3, 23-27 Feb. 2004
【非特許文献２】“Field test of GMPLS all-optical path rerouting”Optical Fiber Communication Conference, 2004. OFC 2004 Volume 2, PDP2, 23-27 Feb. 2004
【発明の開示】
【発明が解決しようとする課題】
【００１２】
従来では、WDM間の障害が復旧した場合にWDMからPXCへ障害復旧を通知する仕組、その場合に自動的に障害状態を正常状態に遷移させ、管理システム上で障害警報を解除する仕組みが定義されていない。
【００１３】
WDM間の障害が発生した場合、PXCへの光は断状態となるが、その障害が復旧してもPXCへの光の断状態は継続されるので、データプレーン上で障害復旧を検知することは難しい。
【００１４】
したがって、WDM間の障害が復旧した場合のPXCの障害警報の解除作業は、上述のように、オペレータがWDM-EMS6上で障害復旧を認識して手作業で行わざるを得ず、オペレータの作業負担が大きくなるとともに、効率的な保守運用ができないという課題があった。
【００１５】
本発明の目的は、上記課題を解決し、光ネットワークにおけるWDM間の障害が復旧したとき、光クロスコネクト装置の障害警報を自動的に解除するとともに障害により回避されていたリンクの帯域を開放することができる光クロスコネクト装置の自動警報解除方式を提供することにある。
【課題を解決するための手段】
【００１６】
上記課題を解決するために、本発明は、光ネットワークにおける光クロスコネクト装置の自動警報解除方式であって、光ネットワークは、伝送装置および光クロスコネクト装置を含み、伝送装置は、伝送装置間の障害が復旧したとき、光パス下流側に隣接する光クロスコネクト装置に障害復旧通知信号を送出する手段を備え、光クロスコネクト装置は、光パス上流側に隣接する伝送装置から送出される障害復旧通知信号を受信する手段と、光パス上流側に隣接する伝送装置から障害復旧通知信号を受信したとき、光パス上流側に隣接する光クロスコネクト装置に障害復旧通知信号を送出する手段と、光パス上流側に隣接する伝送装置あるいは光パス下流側に隣接する光クロスコネクト装置から障害復旧通知信号を受信したとき、自装置による障害警報を解除する手段と、光パス下流側に隣接する光クロスコネクト装置から障害復旧通知信号を受信したとき、経路制御情報をマルチキャストで送出し、障害により回避されていたリンクの帯域を開放する手段を備えたことを特徴としている。
【００１７】
また、本発明は、前記光クロスコネクト装置が、さらに、隣接の光クロスコネクト装置から障害復旧通知信号を受信したとき、障害発生前に使用していた経路へ光パスを切り戻す手段を備えたことを特徴としている。
【発明の効果】
【００１８】
本発明によれば、従来オペレータの手作業で行っていたPXCの障害警報の解除を、WDMからの障害復旧通知信号をトリガとして自動的に行わせることができる。また、PXC間のリソースを自動的に開放させることができるので、オペレータの作業負担を軽減でき、効率的な保守運用が可能になる。また、WDM間の障害復旧に予期しないばたつきがあっても、それに自動で対応可能となる。
【００１９】
また、障害復旧時に、障害発生前に使用していた経路へ光パスを切り戻すようにすることにより、常に経済性などが考慮された最適経路に光パスを設定可能になる。
【発明を実施するための最良の形態】
【００２０】
以下、図面を参照して本発明を説明する。図１は、本発明が適用されるGMPLS光ネットワークの基本的な機器構成および障害復旧シーケンスを示す図である。なお、図１の機器構成において図３と同一または同等の要素には同じ符号を付してある。
【００２１】
本機器構成において、PXC1とPXC2、PXC1とWDM3、PXC2とWDM4は、GMPLS制御プレーン7を介してGMPLS制御メッセージを交換可能となっている。GMPLS制御メッセージには、WDMからWDM-EMSへの障害警報、PXCからPXC-EMSへの障害警報、WDMとPXC間で送受される障害通知信号などが含まれる。
【００２２】
図１のGMPLS光ネットワークにおいて、例えばWDM3からWDM4方向のリンクに障害が発生すると、リンクからWDM4へ光信号が入力されなくなり、WDM4からPXC2への光信号が遮断される。これによりWDM4は障害が発生したことを認識し、WDM強制光断機能あるいはGMPLS-LMP機能によりPXC2に障害を通知する。また、WDM4は、WDM-EMS6へ障害警報を送出し、WDM-EMS6は、WDM4からの障害警報を受けると、障害警報を発出する。
【００２３】
PXC2は、WDM4から障害が通知されると、GMPLS制御プレーン7を介してPXC-EMS5に障害警報を送出するとともに、PXC1との間で障害通知信号を交換する。PXC2から障害通知信号を受けたPXC1は、GMPLSのTEリンクが障害であると認識し、PXC-EMS5へ障害警報を送出する。
【００２４】
また、PXC1は、TEリンクの帯域を0として該TEリンクが使えないことを経路制御信号で広告する。その後、PXC1は、障害となったTEリンクを回避しながらルーティングを実行して光パスの経路を自動的に変更し、光パスについての障害を復旧する。  PXC-EMS5は、PXC1,2からの障害警報を受けると障害警報を発出し、WDM3,4間のTEリンクを障害リンクとして管理する。以上の障害発生時の動作は、図４のS41〜S48と同じである。
【００２５】
WDM3,4間の障害が復旧すると、WDM4に光信号が入力されるようになるが、PXC2に光が入力されない状態は継続される。WDM4は、リンクから光が入力されるようになると障害が復旧したと認識し、WDM-EMS6への障害警報を解除する。これによりWDM-EMS6は、障害警報の送出を止める。また。WDM4は、PXC2へ障害復旧通知信号を送出する。
【００２６】
PXC2は、WDM4から障害復旧通知信号を受けると、PXC-EMS5への障害警報を解除するとともに、PXC1へ障害復旧通知信号を送出する。なお、WDM4とPXC2が送出する障害復旧通知信号は同じである必要はない。
【００２７】
PXC1は、PXC2から障害復旧通知信号を受けると、障害により使用不可であったTEリンクの障害が復旧したことを認識し、PXC-EMS5への障害警報を解除する。また、PXC1は、経路制御情報をマルチキャストで送出し、障害であったTEリンクの帯域を開放する。
【００２８】
PXC-EMS5は、PXC1,2からの障害警報が解除されると、障害警報の発出を止め、システムを正常状態に遷移させる。
【００２９】
図２は、本発明における障害復旧時の動作を示すフローチャートである。WDM3,4間のリンク(WDM3からWDM4方向のリンク)の障害が復旧する(S21)と、WDM4は、WDM-EMS6への警報障害を解除する(S22)。障害が復旧しなければ、S22以下の処理は行われない。WDM-EMS6は、WDM4からの障害警報が解除されると、障害警報の送出を止める(S23)。また、WDM4は、光パス下流側に隣接するPXC2へ障害復旧通知信号を送出する(S24)。
【００３０】
PXC2は、WDM4から障害復旧通知信号を受けると、リンク状態が正常(復旧)になったことを認識し、PXC-EMS5への障害警報を解除するともに、光パス上流側に隣接するPXC1へ障害復旧通知信号を送出する(S25)。
【００３１】
PXC1は、PXC2から障害復旧通知信号を受けると、TEリンク障害が復旧したことを認識し、PXC-EMS5への障害警報を自動的に解除する(S26)。これにより、PXC-EMS5は、発出していた障害警報を解除する(S27)。また、PXC1は、経路制御情報をマルチキャストで送出し、障害により使用不可となっていたTEリンクの帯域を開放する(S28)。
【００３２】
さらに、TEリンクの障害復旧に伴って、障害発生前に使用していた経路への光パスの切り戻しを行うようにすることも可能である。このためには、障害発生前の経路情報を保存しておき、障害復旧時に、始点ノードのPXCが、保存された経路情報を元に光パスを再設定するようにすればよい(S28)。S28は必ずしも必要なものではないが、S28の処理を追加すれば経済性が考慮された最適経路に光パスを再設定できる。つまり、障害発生前の光パスの経路は、数ある経路の中からコスト計算により選択された最適経路であると推測されるので、経済性などの面で有利な経路に光パスを切り戻すことができる。
【００３３】
以上、実施形態を説明したが、本発明は、上記実施形態に限定されない。例えば、障害警報は、WDM間のリンク障害時にPXCから送出される警報に限定されず、WDMの機器障害やWDM間の信号品質劣化があったときにPXCから送出される警報であってもよく、本発明は、そのような障害警報の自動解除にも有効である。
【図面の簡単な説明】
【００３４】
【図１】本発明が適用されるGMPLS光ネットワークの基本的な機器構成および障害復旧シーケンスを示す図である。
【図２】本発明におけるリンク障害復旧時の動作を示すフローチャートである。
【図３】従来のGMPLS光ネットワークの基本的な機器構成を示すブロック図である。
【図４】従来のGMPLS光ネットワークにおける障害発生時の動作を示すフローチャートである。
【図５】従来のGMPLS光ネットワークにおける障害復旧時の動作を示すフローチャート(図４の続き)である。
【符号の説明】
【００３５】
1,2・・・光クロスコネクト装置(PXC)、3,4・・・伝送装置(WDM)、5,6・・・管理システム(EMS)、7・・・GMPLS制御プレーン
【図１】
0004623661.tif 000002
【図２】
0004623661.tif 000003
【図３】
0004623661.tif 000004
【図４】
0004623661.tif 000005
【図５】
0004623661.tif 000006